(57)【要約】      （修正有）【課題】節電や流体の減量を行え、発電効率の低下を防止する流体制御システムを提供する。【解決手段】太陽光発電モジュール２の受光面に流体を流す流出手段６と、流出手段６による流出を制御する制御手段５とを備える流体制御システム１において、制御手段５は所定の時間前記流体の流量を多くさせ、前記所定時間後、前記流量よりも少なくさせる。【選択図】図１
2013187213.tif 000002
【特許請求の範囲】
【請求項１】
太陽光発電モジュールの受光面に流体を流す流出手段と、該流出手段による流出を制御する制御手段とを備える流体制御システムにおいて、
前記制御手段は所定の時間前記流体の流量を多くさせ、前記所定時間後に前記流量よりも少なくさせることを特徴とする流体制御システム。
【請求項２】
前記制御手段は流出の初期に前記流体の流量を多くさせることを特徴とする請求項１に記載の流体制御システム。
【請求項３】
前記太陽光発電モジュールの表面温度を検出する温度検出手段を有し、前記流出手段は前記太陽光発電モジュールの任意の領域に流体を流し、前記制御手段は、前記温度検出手段が予め設定した第一の閾値温度を検出した時に前記流出手段により流出を開始し、前記温度検出手段が第二の閾値温度を検出した時に前記流出手段により流出を停止する制御を行うことを特徴とする請求項１または請求項２に記載の流体制御システム。
【請求項４】
前記太陽光発電モジュールは１個あるいは複数個の発電ユニットで構成しており、前記温度検出手段は、１個の発電ユニットの場合にはそれぞれを離間して配置した複数個の温度センサーにより構成し、複数個を連結した発電ユニットの場合にはそれぞれの発電ユニットに少なくとも１個以上を配置し且つそれぞれを電気的に連係した複数個の温度センサーにより構成し、それぞれの温度センサーが流体による温度変化を検出することを特徴とする請求項１または請求項２に記載の流体制御システム。
【請求項５】
前記太陽光発電モジュールへの照度を検出する照度検出手段を有し、前記制御手段は該照度検出手段により予め設定した規定照度を検出した場合に流体の流出を開始することを特徴とする請求項１または請求項２に記載の流体制御システム。
【発明の詳細な説明】
【技術分野】
【０００１】
本発明は、太陽光発電モジュールに流体を流出させる機能を有する流体制御システムに関するものである。
【背景技術】
【０００２】
太陽光発電モジュールを用いた太陽光発電システムでは、太陽光のエネルギーのすべてが電気エネルギーに変換されるわけではなく、その多くが熱となり太陽光発電モジュール自体の温度を上昇させてしまう。更に、夏季では直射日光によって太陽光発電モジュールの表面温度がかなりの高温（例７０℃から８０℃）まで上昇してしまうことが多い。
【０００３】
そのため、太陽光発電モジュールを構成する太陽電池の温度が上昇し、光―電気変換効率が低下することになる。
【０００４】
また、潮風による塩の結晶、鳥の糞、冬場の凍結および積雪、黄砂、埃等の異物が太陽光発電モジュールの受光面に付着した場合には、部分陰となり発電効率が低下する。
【０００５】
そこで、太陽光発電モジュールの表面温度が上昇した場合には太陽光発電モジュールを冷却し温度低下を行うことが提案された。その冷却方法としては、一般的に水冷にて行う方法が知られている。
【０００６】
その先行技術として、例えば、特許文献１に記載されている冷却装置では、水槽内に太陽電池素子を配置して冷却を行っている。また、太陽光の受光面への異物の除去に対してはワイパーを設けてその除去を行っている。
【０００７】
また、特許文献２に記載されている冷却装置では、傾斜した太陽光発電モジュールの上端に給水タンクを設け、太陽光発電モジュールの温度が上昇すると、給水口が開いて太陽光発電モジュールの受光面に散水して冷却を行うようにしている。
【０００８】
そして、特許文献３に記載されている冷却装置では、貯水槽から毛管現象により伝わってきた水を太陽光発電モジュールの裏面に供給することにより冷却を行っている。
【０００９】
さらに、特許文献４に記載されている冷却装置では、散水管に開けられた複数の孔から太陽光発電モジュールの受光面に水を滴下し、滴下した水の気化熱により冷却を行うようにしている。
【先行技術文献】
【特許文献】
【００１０】
【特許文献１】実開平１−１２３１６３号公報
【特許文献２】特開平８−１９５５０３号公報
【特許文献３】特開平５−２９９６８５号公報
【特許文献４】特開２００４−２５９７９７号公報
【発明の概要】
【発明が解決しようとする課題】
【００１１】
特許文献１に記載されている先行技術では、同文献の図１に示されているように太陽電池素子を水槽内に配置する必要があり、その水槽を屋根の上に設置するには装置全体が大型化になり、設置コストや屋根の強度、設置スペースの確保ができないという問題を生じた。
【００１２】
また、太陽光の受光面に配置されたワイパー自身が部分陰の原因となり、更に太陽光発電モジュール全面へのワイパー設置は装置として大型化による設置上の制限が生じる事となる。
【００１３】
また、特許文献２に記載されている先行技術では、前記特許文献１と同様に太陽光発電モジュールの上方に給水タンクを別途設ける必要があり、太陽光発電モジュールの配置場所以外に給水タンクを設置する場所も必要となるため、設置上の制限を生じていた。
【００１４】
また、特許文献３に記載されている先行技術では、太陽光発電モジュールの裏面を冷却しているため、屋根材との間に空間が必要となり、太陽光発電モジュールを屋根材と一体的に設置するのが困難である。また、長時間流水しなければならないので、多くの流水や電力が必要であるのが問題である。
【００１５】
また、特許文献４に記載されている先行技術では、太陽光発電モジュールの受光面に流水させるが、これは受光面の異物を除去する目的ではなく冷却を目的とするためであるために、受光面の異物の除去が不十分という問題がある。また、長時間流水しなければならないので、多くの流水や電力が必要であるのが問題である。
【００１６】
従来の冷却装置では、長時間流水しなければならないので、多くの流水や電力が必要である。そこで本発明は、濡れているところは流体が流れ易い点に着眼して、初期に流量を多くすることによって、節電や流体の減量を行う。また、所定時間、受光面にある異物（大きいものの例としては落ち葉）を洗い流す程の大きな流量にすることで発電効率の低下を防止する。また、流量を多くしている期間は太陽光発電モジュールを急激に冷やすことができる。
【課題を解決するための手段】
【００１７】
本発明は、太陽光発電モジュールの受光面に流体を流す流出手段と、該流出手段による流出を制御する制御手段とを備える流体制御システムにおいて、前記制御手段は所定の時間前記流体の流量を多くさせ、前記所定時間後に前記流量よりも少なくさせるものである。
【００１８】
また、本発明は、前記制御手段は流出の初期に前記流体の流量を多くさせるものである。
【００１９】
また、本発明は、前記太陽光発電モジュールの表面温度を検出する温度検出手段を有し、前記流出手段は前記太陽光発電モジュールの任意の領域に流体を流し、前記制御手段は、前記温度検出手段が予め設定した第一の閾値温度を検出した時に前記流出手段により流出を開始し、前記温度検出手段が第二の閾値温度を検出した時に前記流出手段により流出を停止する制御を行うものである。
【００２０】
また、本発明は、前記太陽光発電モジュールは１個あるいは複数個を連結した発電ユニットで構成しており、前記温度検出手段は、１個の発電ユニットの場合にはそれぞれを離間して配置した複数個の温度センサーにより構成し、複数個の発電ユニットの場合にはそれぞれの発電ユニットに少なくとも１個以上を配置し且つそれぞれを電気的に連係した複数個の温度センサーにより構成し、それぞれの温度センサーが流体による温度変化を検出するものである。
【００２１】
また、本発明は、前記太陽光発電モジュールへの照度を検出する照度検出手段を有し、前記制御手段は該照度検出手段により予め設定した規定照度を検出した場合に流体の流出を開始するものである。
【発明の効果】
【００２２】
本発明の請求項１による構成では、前記制御手段は所定の時間前記流体の流量を多くさせ、前記所定時間後に前記流量よりも少なくさせるものであるから、所定の時間後に流量を少なくしても濡れた領域に流体が広がり易いので節電や流体の減量を行うことができる。また、太陽光発電モジュールの受光面に付着した鳥の糞、落ち葉、積雪等の異物の排除を行い、太陽光発電モジュールに生じる部分陰による発電効率の低下を未然に防止することができる。また、その時間は太陽光発電モジュールを急激に冷却することができる。
【００２３】
また、本発明の請求項２による構成では、流量の増加を早い初期に行うので、節電の効果、流体の減量効果そして発電効率の低下防止の効果の期間を最大限延ばすことができる。
【００２４】
また、本発明の請求項３による構成では、前記太陽光発電モジュールの表面温度を検出する温度検出手段を有し、前記流出手段は前記太陽光発電モジュールの任意の領域に流体を流し、前記制御手段は、前記温度検出手段が予め設定した第一の閾値温度を検出した時に前記流出手段により流出を開始し、前記温度検出手段が第二の閾値温度を検出した時に前記流出手段により流出を停止する制御を行うものであるから、太陽光発電モジュールの受光面の温度を一定に保つことができ、太陽光発電モジュールの受光面の発熱による発電効率の低下を防止することができると共に、太陽光発電モジュールの受光面への積雪および、凍結防止が可能となり発電効率の低下を防止することが可能になる。
【００２５】
また、本発明の請求項４による構成では、太陽光発電モジュールを構成する１個または複数個の発電ユニット素子のそれぞれに配置した複数個の温度センサーが流体による温度変化を検出することにより、太陽光発電モジュールの受光面の略全面に浸透するまで流出をさせることができる。
【００２６】
また、本発明の請求項４による構成では、太陽光発電モジュールへの照度を検出する照度検出手段により予め設定した規定照度を検出した場合には前記制御手段により流出を開始する制御を行うものであるから、太陽光発電モジュールが発電可能となる照度に達した場合に流出を行うことで、発電可能な照度に達していないにもかかわらず流出をするような無駄な流出を行うことを避けて流体の使用量を節約すると共に流出をするための電気エネルギーを制限し消費電力の浪費を防止することができる。
【図面の簡単な説明】
【００２７】
【図１】本発明の太陽光発電モジュールの流水システムの構成を示すブロック図である。
【図２】同じく屋根に施工した実施形態における側面の概念図である。
【図３】同じく図２の実施形態における斜視の概念図である。
【図４】同じく流出手段と制御手段の概念図である。
【図５】同じく流出手段と制御手段の他の実施形態を示す概念図である。
【図６】同じく流量の変化を示す図である。
【図７】同じく太陽光発電モジュールの発電量と当該太陽光発電モジュールの温度との関係を示す特性図である。
【発明を実施するための形態】
【００２８】
以下に本発明の実施例を図面に基づいて説明する。但し、以下に示す実施例は、本発明の技術的思想を具体化するための流体制御システムを例示するものであって本発明の技術的範囲を特定するものでない。本発明の技術的範囲は、特許請求の範囲の記載によって定められるものである。
【００２９】
図１は本発明の流体制御システム１の構成を示すブロック図であって、始めにこのブロック図に基づいて概略を説明する。２は発電素子を収納した複数個の発電ユニット（後述）を平面上に連結して所定の大きさの構造体とした太陽光発電モジュールである。この太陽光発電モジュール２の受光面は透明な耐熱ガラスにより覆っている。発電ユニットのそれぞれは定められた仕様に基づいて所定数を直列接続、あるいは並列接続し定格電圧、定格電流を得るようにしている。
【００３０】
この太陽光発電モジュール２は図２及び図３で後述するが家屋の屋根やビル等の屋上、あるいは平地等に設置され、太陽光を最も受光しやすい角度となるべく施工されている。
【００３１】
３は太陽光発電モジュール１を構成している構造体の最上部から最下部まで直線的に配置した発電ユニットのそれぞれに取り付けた温度センサー（後述）からなる温度検出手段である。
【００３２】
これらの温度センサーはそれぞれの発電ユニットの検出温度を電気的レベルの変化として出力し太陽光発電モジュール２の温度が十分な能力を発揮できる範囲か否かを判定するための入力信号とする。
【００３３】
４は太陽光発電モジュール２への照度がどの程度のものかを検出する照度検出手段である。
【００３４】
この照度検出手段４は、前記太陽光発電モジュール２の一部の領域を構成している最上部から最下部まで直線的に配置した複数個の発電ユニットのうちの一つの発電ユニット、あるいは全ての発電ユニットに取り付けた照度センサー（後述）から構成しており、検出照度を電気的レベル変化として出力し太陽光発電モジュール２が発電可能となる照度に達しているか否かを判定するための入力信号とする。
【００３５】
５は前記温度検出手段の出力と照度検出手段の出力により予め設定された温度範囲か照度範囲かを判定し流水を制御する制御手段である。
この制御手段５は、太陽光発電モジュール２の温度については、第一の閾値温度（例：４０度）と第二の閾値温度（例：３０度）を固定値として予め設定しており、それぞれの閾値温度の電気的レベルと検出温度の電気的レベルとの比較を行う。
【００３６】
また、太陽光発電モジュール２の照度については、予め設定した照度（具体的には各社が決定している太陽光発電モジュールの仕様により異なる）の電気的レベルとの比較を行う。
【００３７】
また、この制御手段５は、予めプログラムされた内容に基づいて、検出照度の比較結果により太陽光発電モジュールへの水道水の流水の開始時期と停止時期を制御し、前記検出照度の比較結果により太陽光発電モジュールの発電可能となる照度に達していることを判定した結果、これに基づいて水道水の流水を開始する時期を決定する。また、その際の流水持続時間の設定もなされる。
【００３８】
また、制御手段５は、太陽光発電モジュール２への水道水の流水を制御する。なお、図示しないが、制御手段５は太陽光発電モジュール２の発電運転の開始／停止の制御も行う。
【００３９】
６は制御手段５の出力により作動し、太陽光発電モジュール２の受光面に強制的に水道水を流す流出手段である。この、流出手段６は、実際には太陽光発電モジュールの最上部に設置され、該太陽光発電モジュールの横幅方向の全域に亘って流水するように構成されている。
【００４０】
図２は本発明の流水システムを屋根に施工した実施形態における側面の概念図であり、図３は図２の実施形態における斜視の概念図である。そして図４は流出手段６と制御手段５の概念図である。
【００４１】
これらの図面に基づいて図１に示した各手段を詳細に説明する。太陽光発電モジュール２は、図２及び図３に示すように、屋根Ｙの棟側から下部の庇側に向かって縦（直線）方向に３個、横方向に９個の合計２７個の発電ユニットＡ１、Ａ２、Ａ３,Ｂ１、Ｂ２、Ｂ３・・・Ｉ１、Ｉ２、Ｉ３により構成している。
【００４２】
温度検出手段３は、図２及び図３に示す実施例では、それぞれの発電ユニットＡ１、Ａ２、Ａ３,Ｂ１、Ｂ２、Ｂ３・・・Ｉ１、Ｉ２、Ｉ３の裏面に温度センサー３Ａ１、３Ａ２、３Ａ３,３Ｂ１、３Ｂ２、３Ｂ３・・・３Ｉ１、３Ｉ２、３Ｉ３を取り付けたものである。取り付け位置が裏面であるので、温度センサー３Ａ１、３Ａ２、３Ａ３,３Ｂ１、３Ｂ２、３Ｂ３・・・３Ｉ１、３Ｉ２、３Ｉ３やその配線が受光面への入光を遮ることがない。この温度センサーのそれぞれは、個別に制御手段５に入力され、これにより制御手段５は太陽光発電モジュール２の各所の温度情報を得ることができて、太陽光発電モジュール２の各所の温度に応じた流水の制御を行うことができる。
【００４３】
照度検出手段４は、図３に示す実施例では、太陽光発電モジュール２の最も右側に位置して上下方向に配置された３つの発電ユニットのうちの例えば上部の発電ユニットＡ１の外面に照度センサーＳを取り付けて太陽光の照度を検出する。
【００４４】
このように一つの発電ユニットに一つの照度センサーＳを取り付ける場合は、単に、太陽光の照度の程度を検出するには十分である。しかし、太陽光の照度検出の精度を上げ太陽光の照度を詳細、且つ信頼性を高めるためには上下方向に配置された３つの発電ユニットのそれぞれに取り付けるようにすればよい。
【００４５】
このような具体例は、例えば、太陽光発電モジュール２を設置する屋根Ｙが隣接する家屋や樹木などにより部分的に発電ユニットが陰になる場合が想定される。
【００４６】
制御手段５は、例えば、マイコンにより構成され、前記照度センサーＳにより検出した照度が十分に発電可能な規定値以上の場合であっても前記温度センサーＳにより検出した温度が発電能力の低下する第一の閾値温度（４０度）以下にあるか否か、第一の閾値温度以下の場合であって十分な発電能力を発揮する第二の閾値温度（３０度）以下であるか否かを判定する。
【００４７】
制御手段５は、図４に示すように配管の基部に水道水の流水の開放、遮断を実行する電磁バルブを設けている。
【００４８】
一方、流出手段６は、水道水を通水する配水管７と該排水管に連結し太陽光発電モジュール２の横方向の幅の範囲に延びる流水管８を連結している。この流水管８には、図４に示すように横一列に並べて穿設した大孔群９・・９とその横に一列に並べて穿設した小孔群１０・・１０とを交互に配置している。
【００４９】
すなわち、大孔群１０・・１０が連設する幅寸法と、小孔群９・・９が連設する幅寸法と、一つの発電ユニットの幅寸法は同じであり、大孔群１０・・１０から流出した水道水は縦一列に並べられた発電ユニットの上部から下部に向かって流出し太陽光発電モジュール１の受光面に付着した鳥の糞などを水流で勢いよく除去し、一方、小孔群９・・９からから流出した水道水は前述の発電ユニットに隣接する横の発電ユニットの上部から下部に向かって流出するようにしている。
【００５０】
このように大孔群１０・・１０と小孔群９・・９の孔を交互に設ける理由は、大孔群１０・・１０の大孔は、多量の水道水を一気に太陽光発電モジュール２に流出して短時間に太陽光発電モジュール２の受光面に付着した鳥の糞などの汚れを除去し、急激に冷却するのに有効であり、小孔群９・・９の小孔は、太陽光発電モジュール２の受光面を流れる大孔からの多量の水道水と合流して太陽光発電モジュール２の全体に広げるために必要な最低量の水量が得られればよく、このことは節水につながることになる。
【００５１】
図５は流出手段６と制御手段５の他の実施形態を示す概念図である。この実施形態では、太陽光発電モジュール１の最上部にあり横方向に位置するそれぞれの発電ユニットＡ１、Ｂ１、Ｃ１・・・Ｉ１に対応する分岐管１１・・１１を設け、該分岐管のそれぞれに電磁バルブ１２・・１２と流出ノズル１３・・１３を設けている。この様な構成では制御手段５の出力により任意の電磁バルブの開放、遮断を行うことができる。同時に個々の電磁バルブの開度を調整することにより水量を節約し、太陽光発電モジュール２の設置位置や隣接する家屋や樹木による日陰により冷却が必要とならない発電ユニットの領域への流水を停止することにより節水を行う。このような実施形態によるものは、その応用例として、太陽光発電モジュールの発電の運転中において、各発電ユニットに取り付けた温度センサーにより常時、各発電ユニットの温度検出を行い、その出力によって強い日差しのある領域の発電ユニットには流水を行い比較的温度が低い領域の発電ユニットには流水を停止あるいは少量にするような制御をおこなうことができる。
【００５２】
例えば、汚れが酷いと思われる太陽光発電モジュール２の受光面には電磁バルブの開度を大きくし、且つ流水時間を長くして集中的に多量の水道水を流して汚れを除去することができる。このような調整は前述したようにそれぞれの発電ユニットに取り付けた温度センサーの出力変化を受けた制御手段５が実行を可能にする。
【００５３】
次に、図２、図３、図４、図６及び図７の太陽光発電モジュールの発電量と当該太陽光発電モジュールの温度との関係を示す特性図により太陽光発電モジュールの冷却と洗浄の手順について説明する。
【００５４】
例えば、制御手段５に設けた運転スイッチ（図示せず）等により太陽光発電モジュールの発電開始操作を行う。
【００５５】
この初回の操作により、まず電磁バルブを開放し所定の時間（太陽光発電モジュールの大きさ、設置後の傾斜角度等により時間が異なる）、水道水を流水し太陽光発電モジュールの下部にある温度センサーの温度変化を検出し所定温度以下になると水道水が太陽光発電モジュール２の受光面の略全面に浸透するまで流水されることとなる。図６は流量の変化を示す図である。図６に示すように、制御手段５は初期に大きな流量で流水させ、所定時間経過すると小さな流量で流水させる。この流量の変化は電磁バルブの開閉時間の調整で行ってもよく、大孔群１０・・１０と小孔群９・・９の選択で行ってもよい。また、流量を切り替えるタイミングはタイマーで行われてもよく、所定の位置（例えば、太陽光発電モジュール２の端部）に配設された温度センサーの検出温度に基づいて行われてもよい。
【００５６】
この大きな流量の流水により太陽光発電モジュールの受光面に付着した鳥の糞などの汚れを多く除去することができ、太陽光発電モジュール２を急激に冷やすことができ、広範囲の受光面を濡らすことができる。この濡れた受光面は水が広がり易いので、流量を小さくしても広範囲の水が広がることとなり、流水の節約や節電となる。そして、照度センサーが太陽光発電モジュールに照射される太陽光の照度を検出する。
【００５７】
その検出照度を電気的レベル変化として出力し、これを入力した集中制御手段は太陽光発電モジュールが発電可能となる規定の照度に達しているか否かを判定する。
【００５８】
もし、規定の照度に達していない場合には発電運転の開始を実行しない。規定の照度に達していた場合には制御手段５が太陽光発電モジュール２の上部に取り付けた温度センサーによる検出温度を電気的レベルの変化として入力し太陽光発電モジュール２の温度が十分な発電能力を発揮できる範囲か否かを判定する。
【００５９】
このとき、太陽光発電モジュール２が発電している場合には、制御手段５が太陽光発電モジュール２で発電された電力により充電機器への充電あるいは種々の電気機械、器具に、または外部の電源に供出する。
【００６０】
ところが、前述の発電開始操作時において、太陽光発電モジュール２への照度が規定の照度に達していたとしても温度センサーによる検出温度の電気的レベルが第一の閾値温度（４０度）の電気的レベルよりも高いときは、制御手段５が電磁バルブを開放する信号を出力し、該電磁バルブを開放し水道水を流水して太陽光発電モジュールの該表面を冷却し発電ユニットの温度を低下させる。
【００６１】
この温度低下に伴い、やがて、太陽光発電モジュール２の下部に取り付けた温度センサーによる検出温度の電気的レベルが第一の閾値温度（４０度）まで低下しても、制御手段５は流水を所定時間継続させる。
【００６２】
その後、温度センサーにより太陽光発電モジュール２の温度を検出し、検出温度が第二の閾値温度（３０度）に低下すると制御手段５は流水を停止させる。また、検出温度が第二の閾値温度（３０度）に低下していなくとも、検出温度が第一の閾値温度（４０度）以下に所定時間低下していれば流水を停止する。
【００６３】
すなわち、太陽光発電モジュール２は、温度センサーによる温度検出によって太陽光発電モジュール２の温度が第一の閾値温度（４０度）以下になれば所定時間は無条件に流水し、所定時間後、第二の閾値温度（３０度）以下なら即流水を停止し、間にあるときも流水を停止する。
【００６４】
なお、本発明では、太陽光発電モジュール２の初回の流水時に該太陽光発電モジュール２の受光面の略全面に浸透するまで流水するように説明しているが、これは初回に流水させる全ての水量が太陽光発電モジュールの受光面の必ずしも略全面に浸透するまで行き渡るまで流水することを意図するものではない。すなわち、太陽光発電モジュール２の初回の流水時に該太陽光発電モジュール２の受光面の一部の領域に流水して流水可能であることを何らかの方法で確認した後に即座に流量を増やして太陽光発電モジュール２の受光面の略全面に浸透するまで流水するような構成も意図している。このことは、冬季のように流水管７や排水管８が凍結しているか否かを確認することに利用する。
【００６５】
本発明は流体として水に限定するものはなく、空気のような流体に適応することができるものである。また、水道では水圧を使い電力は必要とならないが、ポンプにて流体を下から上に上げるのに電力を使用する場合には電力を必要とするので、この場合には電力を節電することが可能となる。また複数の電磁弁を使用する場合があるが、流量が少なくなるので制御する電磁弁の操作電力が低減でき、節電に寄与することに繋がる。
【００６６】
また、制御手段５は気温によって閾値を任意の値に変更し冬季の凍結および、積雪防止のため流出手段６を制御しても良い。また、早く融雪させるために流量の増加時間を長くしてもよい。
【産業上の利用可能性】
【００６７】
本発明は、太陽光発電モジュールの大きさに制限されずその受光面の汚れを除去し発電効率を高めるために民間用に限らず産業用、工業用に幅広く利用することができる。太陽光発電モジュールの受光面にある受光面全面に流体を浸透するまで流体を流出するものであるから、節電や流体の減量を行うことができる。また、太陽光発電モジュールの受光面に付着した鳥の糞、落ち葉、積雪等の異物の排除を行い、太陽光発電モジュールに生じる部分陰による発電効率の低下を未然に防止することができる。
【符号の説明】
【００６８】
１  太陽光発電モジュール
２  温度検出手段
３  照度検出手段
４  集中制御手段
５  制御手段
６  流出手段
７  配水管
８  分岐管
Ａ１、Ａ２、Ａ３・・・Ｉ１、Ｉ２、Ｉ３  発電ユニット
２Ａ１、２Ａ２、２Ａ３・・・２Ｉ１、２Ｉ２、２Ｉ３  温度センサー
【図１】
2013187213.tif 000003
【図２】
2013187213.tif 000004
【図３】
2013187213.tif 000005
【図４】
2013187213.tif 000006
【図５】
2013187213.tif 000007
【図６】
2013187213.tif 000008
【図７】
2013187213.tif 000009